(57)【要約】【課題】植毛された転写紙を用いる簡単な方法により、刺繍の裏面の凹凸部が肌に擦れることによる痛みや、肌擦れを防止することができる刺繍裏面の処理方法を提供するものである。【解決手段】布地１に刺繍４を形成した後、布地裏面の刺繍部分に接着剤５を塗布し、植毛された転写紙７の植毛された面を、前記接着剤塗布面に熱圧着して、植毛１０を布地裏面の刺繍部分に転写してから、転写紙７の剥離紙８を剥して、布地裏面の刺繍部分に植毛するものである。【選択図】  図６
2009046784.tif 000002
【特許請求の範囲】
【請求項１】
布地に刺繍をした後、布地裏面の刺繍部分に接着剤を塗布し、植毛された転写紙を、前記接着剤塗布面に熱圧着して植毛を転写してから、転写紙の剥離紙を剥して、布地裏面の刺繍部分に植毛することを特徴とする刺繍裏面の処理方法。
【請求項２】
接着剤がアクリル系の樹脂接着剤で、植毛がレイヨンであることを特徴とする請求項１記載の刺繍裏面の処理方法。
【発明の詳細な説明】
【技術分野】
【０００１】
本発明は、刺繍裏面の処理方法に関するものである。
【背景技術】
【０００２】
一般にスポーツシャツなどには、胸の部分や背中の部分にロゴマークや文字などの刺繍が施されているものが多い。このスポーツシャツなどの布地裏面には刺繍に用いた糸が露出するため、ここが直接肌に触れると、ゴワゴワした感じとなり、特に激しいスポーツを行なうと、肌が擦れてチクチクすることがある。
【０００３】
このため、布地裏面の刺繍糸露出部に柔軟仕上げ用の柔軟剤を塗布することにより刺繍部部分を柔軟化させる方法（特許文献１）がある。しかしながらこの方法では、刺繍糸が密に縫い込まれている部分は硬くゴワゴワした感じで、柔軟剤を塗布した程度では、凹凸のある布地裏面の刺繍部分が軟化せず、ゴワゴワした感じのままである。
【０００４】
またミシン刺繍が終了した後、熱接着性不織布極薄シートを生地の裏面から刺繍マークに被せるように配置し、前記熱接着性不織布極薄シートをアイロン掛けによって溶解し、生地の裏面表層部及び刺繍マークの裏面側刺繍糸に含浸して可撓性を有した状態で接着することにより、糸切れが発生した場合でもミシン刺繍のステッチのほつれを防止すると共に、刺繍糸と肌が直接摺擦することがなく、肌触りも良好に保持する方法（特許文献２）もある。
【０００５】
しかしながら、この方法は熱接着性不織布極薄シートを生地の裏面から刺繍マークに被せるように全体に配置して、これを熱融着させるので、熱融着して硬化した不織布極薄シートが残るため、シート自体のゴワゴワした感じが残り、特に激しいスポーツを行なうシャツに適用した場合には、肌が擦れる問題があった。
【特許文献１】特開平１１−１８１６６７
【特許文献２】特開平９−５９８６５
【発明の開示】
【発明が解決しようとする課題】
【０００６】
本発明は上記問題を改善し、簡単な方法により刺繍の裏面の凹凸部が肌に擦れることによる痛みや、肌擦れを防止することができる刺繍裏面の処理方法を提供するものである。
【課題を解決するための手段】
【０００７】
本発明の請求項１記載の刺繍裏面の処理方法は、布地に刺繍をした後、布地裏面の刺繍部分に接着剤を塗布し、植毛された転写紙を、前記接着剤塗布面に熱圧着して植毛を転写してから、転写紙の剥離紙を剥して、布地裏面の刺繍部分に植毛することを特徴とするものである。
【０００８】
本発明の請求項２記載の刺繍裏面の処理方法は、請求項１において、接着剤がアクリル系の樹脂接着剤で、植毛がレイヨンであることを特徴とするものである。
【発明の効果】
【０００９】
本発明に係る請求項１記載の刺繍裏面の処理方法によれば、刺繍裏面のマークや文字の凸部分と、この間の凹部分の表面全体に植毛されているので、凹凸部分の段差が少なくなると共に全体として柔らかな肌触りになり、特に激しいスポーツを行なうシャツや幼児の衣類などに使用する場合に、痛みが少なく、肌擦れを少なくすることができる。
【００１０】
また請求項２記載の刺繍裏面の処理方法によれば、接着剤がアクリル系の樹脂接着剤で、植毛がレイヨンを用いたので、接着性が優れている上、レイヨンの肌に対する感触が柔軟で、痛みや、肌擦れを少なくすることができる。
【発明を実施するための最良の形態】
【００１１】
以下本発明の実施の一形態を図１ないし図６を参照して詳細に説明する。先ず図１に示すように布地１の裏面に裏紙２を合わせて自動刺繍ミシンで刺繍糸３を縫い付けて刺繍４を形成する。刺繍糸３は、布地１の表面と裏面に縫い付けられて例えば図２に示すようにＡＢＣなどの文字刺繍文字３を形成する。
【００１２】
この後、図３に示すように布地１の裏面に縫い合わされた裏紙２を剥す。次に図４に示すように布地１の裏面に形成された刺繍４の部分に、図示しない筆やハケなどにより接着剤５を塗布する。この接着剤５としては例えばアクリル系の樹脂接着剤を用いる。
【００１３】
この後、図５に示すように植毛された転写紙７の植毛１０側を接着剤５の塗布面に重ねる。この植毛された転写紙７は、剥離紙８の表面に接着層９を介して植毛１０を形成したものである。次に転写紙７を熱圧着して、植毛１０を刺繍４の裏面部分に塗布した接着剤５に接着させると転写される。この後、剥離紙８を剥がすと図６に示すように、刺繍４の裏面の凹凸部全体に植毛１０が施される。
【００１４】
この結果、刺繍４の裏面の文字の凸部分と、この間の凹部分の全体に植毛されるので、凹凸部分の段差が少なくなると共に全体として柔らかな肌触りになる。特にマークや文字が大きい刺繍４の場合には、刺繍糸３が盛り上がって凹凸が大きくなりゴワゴワした感じであるが、本発明の植毛１０により柔らかな肌触りになり、激しいスポーツを行なうシャツに使用する場合に、肌擦れを少なくすることができる。
【実施例】
【００１５】
木綿製のスポーツシャツの布地１にロゴマークの刺繍４を形成し、このに布地１の裏面に形成された刺繍４の部分に、アクリル系の接着剤５（Ｐトップインキ  株式会社  松井色素化学工業製）を筆で塗布した。次に、長さが０．５ｍｍの白色のレイヨン１００％の植毛１０を形成した転写紙７（Ｐペーパー  株式会社  松井色素化学工業製）を重ねて１５０℃  ８００ｇ／ｃｍ２   １５秒間、熱圧着してから剥離紙８を剥がした。
【００１６】
このように処理したスポーツシャツ裏面の植毛された刺繍部分を、右の上腕三頭筋に３０秒間擦り付けた。この検査を２０人について行ないその感触を調べた。その結果を表１に示した。また皮膚の状態についても観察し、その結果を表２に示した。また本発明の植毛処理を施していない刺繍のスポーツシャツについても、左の上腕三頭筋に同様の試験を行ない、その結果を表１、表２に併記した。
【００１７】
【表１】
2009046784.tif 000003
【００１８】
【表２】
2009046784.tif 000004
【００１９】
上表の結果から植毛処理を施した本発明の実施例品では、全く違和感を感じない人が１５名で、痛いと感じた人は１名であったのに対して、無処理の比較例品では全く違和感を感じない人が１名で、痛いと感じた人は１６名もいた。また本発明品について、１０分間水洗いをして乾燥させた後、この水洗いを５回繰り返した後の、植毛の状態を検査したところ、植毛に変化はなく、長期間の安定性があることも確認された。
【産業上の利用可能性】
【００２０】
なお上記説明ではスポーツシャツの刺繍に適用した場合について説明したが、乳児用の衣服やハンカチ、靴下など、刺繍が直接肌に触れる布地に広く適用することができる。また植毛は白色に限らず着色したものを用いても良い。
【図面の簡単な説明】
【００２１】
【図１】本発明の実施の一形態による布地に裏紙を当てて刺繍している状態を示す断面図である。
【図２】図１の刺繍を形成した布地の斜視図である。
【図３】図１の裏紙を剥がした状態を示す断面図である。
【図４】布地裏面の刺繍部分に、接着剤を塗布した状態を示す断面図である。
【図５】布地裏面の刺繍部分に、植毛された転写紙を重ねた状態を示す断面図である。
【図６】布地裏面の刺繍部分に、植毛された状態を示す断面図である。
【符号の説明】
【００２２】
１    布地                                          
２    裏紙                
３    刺繍糸                
４    刺繍                  
５    接着剤                
７    植毛された転写紙        
８    剥離紙              
９    接着層            
１０  植毛                  
【図１】
2009046784.tif 000005
【図２】
2009046784.tif 000006
【図３】
2009046784.tif 000007
【図４】
2009046784.tif 000008
【図５】
2009046784.tif 000009
【図６】
2009046784.tif 000010